(57)【特許請求の範囲】
【請求項１】
高周波電流を出力するための第１及び第２の出力用電極と、電圧を検出するための第１及び第２の検出用電極とを備え、前記第１及び第２の出力用電極を前記人体の皮膚に接触させて、前記第１及び第２の検出用電極から検出される電圧に基づき体脂肪を測定する体脂肪測定装置において、
前記人体の腕に装着可能な装着体は、前記腕と接触する裏面側に、前記第１の出力用電極及び前記第１の検出用電極を配置し、前記裏面と反対側の表面側に、前記第２の出力用電極及び前記第２の検出用電極を配置し、
前記装着体は、さらに、前記人体の左右いずれの腕に装着されたかを検出する検出手段と、この検出手段の検出結果に基づき前記電極を前記出力用電極と前記検出用電極とに切り換える制御手段とを備えることを特徴とする携帯型体脂肪測定装置。
【請求項２】
前記装着体は、装置本体と、この装置本体の両端部に係着され前記人体の腕に巻き付け可能な帯状体とで構成されていることを特徴とする請求項１記載の携帯型体脂肪測定装置。
【請求項３】
前記装着体は、装置本体と、この装置本体の両端部に係着され前記人体の腕に巻き付け可能な帯状体とで構成され、前記電極を前記帯状体に配置したことを特徴とする請求項１記載の携帯型体脂肪測定装置。
【請求項４】
前記検出手段は、心電波を検出する心電波検出手段であり、この検出した心電波に基づき、前記人体の左右いずれの腕に装着されたかを検出することを特徴とする請求項１記載の携帯型体脂肪測定装置。
【請求項５】
前記装着体の表面側に回動可能なベゼルを備え、前記検出手段は、このベゼルの回転方向に基づいて、前記人体の左右いずれの腕に装着されたかを検出することを特徴とする請求項１記載の携帯型体脂肪測定装置。
【請求項６】
前記検出手段は、測定者の個人データと対応付けて当該測定者が前記装着体を左右いずれの腕に装着したかを示すデータを記憶内容として記憶する記憶手段を備え、前記制御手段は、この記憶手段の記憶内容に基づいて前記電極を前記出力用電極と前記検出用電極とに切り換える切換制御手段を備えることを特徴とする請求項１記載の携帯型体脂肪測定装置。
【請求項７】
前記装置本体の表面側に、測定結果を表示する表示手段をさらに備えたことを特徴とする請求項１記載の携帯型体脂肪測定装置。
【請求項８】
前記装置本体の表面に、開閉自在な蓋体を設けたことを特徴とする請求項１記載の携帯型体脂肪測定装置。
【請求項９】
前記蓋体に、前記体脂肪の測定結果を表示する表示手段を設けたことを特徴とする請求項８記載の携帯型体脂肪測定装置。
【請求項１０】
前記蓋体のうちの一面側に、前記体脂肪の測定結果を表示する第１の表示手段を設けるとともに、他面側に、時刻を表示する第２の表示手段を設けたことを特徴とする請求項８記載の携帯型体脂肪測定装置。
【請求項１１】
前記表示手段は、前記体脂肪の測定結果をレベル表示する表示部を有することを特徴とする請求項７記載の携帯型体脂肪測定装置。
【請求項１２】
前記蓋体の開を検出して、前記測定を開始させる制御手段を備えたことを特徴とする請求項８記載の携帯型体脂肪測定装置。
【発明の詳細な説明】
【０００１】
【発明の属する技術分野】
本発明は、体脂肪測定装置に関し、詳細には、所謂４端子電極法により、人体の体脂肪を測定する携帯型体脂肪測定装置に関する。
【０００２】
【従来の技術】
従来、４端子電極法を用いた携帯型体脂肪測定装置として、登録実用新案  第３０２８９８６号公報に開示されたものが知られている。この携帯型体脂肪測定装置は、装置本体とこの装置本体の両側に折り畳み可能に取り付けられた一対の把持部とで構成され、各把持部に各々２つの電極が配置されている。したがって、非測定時には把持部を折り畳むことにより小型化してポケット等にいれて持ち運ぶことができる。また、測定時には把持部を展開して把持することにより、把持部の電極に手のひらが密着して、体脂肪を測定することができる。
【０００３】
【発明が解決しようとする課題】
ところで、このような従来の携帯型体脂肪測定装置にあっては、非測定時には把持部を折り畳むことにより小型化してポケット等にいれて持ち運ぶことができる一方で、測定時には把持部を展開して把持することにより、把持部の電極に手のひらが密着して、体脂肪を測定することができるという効果を奏することができるものの、腕の左右のいずれかと接触しているかを自動検出することができなかったために、体脂肪率の測定を容易かつ迅速に行うことができないという問題点があった。
【０００４】
本発明は、このような従来の課題に鑑みてなされたものであり、体脂肪率の測定を随時に容易かつ迅速、そして正確に行うことのできる携帯型体脂肪率測定装置を提供することを目的とするものである。
【０００５】
【課題を解決するための手段】
前記課題を解決するために請求項１記載の発明にあっては、高周波電流を出力するための第１及び第２の出力用電極と、電圧を検出するための第１及び第２の検出用電極とを備え、前記第１及び第２の出力用電極を前記人体の皮膚に接触させて、前記第１及び第２の検出用電極から検出される電圧に基づき体脂肪を測定する体脂肪測定装置において、前記人体の腕に装着可能な装着体は、前記腕と接触する裏面側に、前記第１の出力用電極及び前記第１の検出用電極を配置し、前記裏面と反対側の表面側に、前記第２の出力用電極及び前記第２の検出用電極を配置し、前記装着体は、さらに、前記人体の左右いずれの腕に装着されたかを検出する検出手段と、この検出手段の検出結果に基づき前記電極を前記出力用電極と前記検出用電極とに切り換える制御手段とを備えることを特徴としている。
したがって、装着体が左右のいずれの腕と接触しているか否かを自動的に検出した上で、体脂肪の測定が可能となり、体脂肪率の測定を随時に容易かつ迅速に行うことができる。
【０００６】
また、請求項２記載の発明にあっては、前記装着体は、装置本体と、この装置本体の両端部に係着され前記人体の腕に巻き付け可能な帯状体とで構成され、前記電極を前記装置本体に配置してある。したがって、電極への電力を直接装置本体から供給でき、回路が簡略化する。
【０００７】
また、請求項３記載の発明にあっては、前記装着体は、装置本体と、この装置本体の両端部に係着され前記人体の腕に巻き付け可能な帯状体とで構成され、前記電極を前記帯状体に配置してある。したがって、帯状体を腕に巻き付けると、電極が腕の皮膚に密着し、エラーなく測定が可能となる。
【０００９】
また、請求項５記載の発明にあっては、前記検出手段は、心電波を検出する心電波検出手段であり、この検出した心電波に基づき、前記人体の左右いずれの腕に装着されたかを検出する。すなわち、左右両腕から誘導される心電図第一誘導の特徴的なＱＲＳＴ波形の特にＲ波の極性を判定することにより、装着体の装着腕を検出する。
【００１１】
また、請求項５記載の発明にあっては、前記装着体は、回動可能なベゼルを前記表面側に備え、前記検出手段は、このベゼルの回転方向に基づいて、前記人体の左右いずれの腕に装着されたかを検出する。つまり、測定に際しては、装着体を一方の腕に装着し、他方の手でベゼルを回転させる。このとき、当該他方の手でベゼルを回転させやすい方向があるから、その方向を検出することにより、装着体が装着されている腕が左右いずれであるかを検出し得る。
【００１２】
また、請求項６記載の発明にあっては、測定者の個人データと対応付けて当該測定者が前記装着体を左右いずれの腕に装着するかを示すデータを記憶内容として記憶する記憶手段と、この記憶手段の記憶内容に基づいて前記電極を前記出力用電極と前記検出用電極とに切り換える制御手段とをさらに備える。したがって、前述と同様に、この装着体を人体の左右いずれの腕に装着した場合であっても、電極を出力用電極と検出用電極とに切り換えることができる。
【００１３】
また、請求項７記載の発明にあっては、前記装置本体の表面側に、測定結果を表示する表示手段をさらに備える。したがって、測定結果を容易かつ迅速に視認することができる。
【００１４】
また、請求項８記載の発明にあっては、前記装置本体の表面側に、開閉自在な蓋体を設けてある。したがって、非測定時には蓋体により電極が覆われて汚れが防止され、測定時に接触不良によるエラーの発生を未然に防止し得る。
【００１５】
また、請求項９記載の発明にあっては、前記蓋体に、前記体脂肪の測定結果を表示する表示手段を設けてある。したがって、蓋体を任意の角度に開くことにより、表示手段を見易い角度で視認することができる。
【００１６】
また、請求項１０記載の発明にあっては、前記蓋体のうちの一面側に、前記体脂肪の測定結果を表示する第１の表示手段を設けるとともに、他面側に、時刻を表示する第２の表示手段を設けてある。したがって、非測定時には蓋を閉めておけば、腕時計として機能する。
【００１７】
また、請求項１１記載の発明にあっては、前記表示手段は、前記体脂肪の測定結果をレベル表示する表示部を有する。したがって、このレベル表示により、測定結果に対する評価を示すことができる。
【００１８】
また、請求項１２記載の発明にあっては、前記蓋体の開を検出して、前記測定を開始させる制御手段を備えている。したがって、蓋体により電極を保護しつつ、測定をスムーズに開始させることができる。
【００２２】
【発明の実施の形態】
（第１の実施の形態）
以下、本発明の実施の形態を図に従って説明する。図１は、本発明の第１の実施の形態を示すものであり、この体脂肪測定装置は腕時計と同様の外部構成であって、人体の腕に装着可能な装着体は、ケース１とこのケース１の相対向する側部に係止された一対のベルト１６、１７とで構成されている。ケース１の相対向する他の両側部には、キー入力部５１、５２、５３、５４が設けられている。ケース１の表面側には、同図（ａ）に示すように、中央部にＬＣＤからなる表示部４が配置され、ベルト１７寄りに一対の電極２、３が配置されている。
【００２３】
この一対の電極２、３は、一方の第１の電極２が高周波電流出力用、他方の第１の電極３が電圧検出用であり、適宜の間隔をもって配置されることにより相互に絶縁されている。また、ケース１の裏面側には、同図（ｂ）に示すように、一対の電極６、７が配設されている。この一対の電極６、７は、一方の第２の電極６が高周波電流出力用、他方の第２の電極７が電圧検出用であり、適宜の間隔をもって配置されることにより相互に絶縁されている。
【００２４】
前記表示部４には、図２に拡大して示したように、「やせ」「普通」「軽肥満」「肥満」の文字が印刷されているとともに、これら各文字に対応してセグメント４ａが設けられている。また、表示部４には、後述する処理により図示のように「ＦＡＴ」及び「ＢＭＩ」が表示される。「ＦＡＴ」は体脂肪率（％）であるが、キー入力部５１、５２、５３、及び５４の何れかの所定操作を検出することにより脂肪量（ｋｇ）に表示切り替えすることもできる（図７（ａ）参照）。また、「ＢＭＩ」は、肥満度をチェックする方法として広く知られているＢＭＩ（Body Mass Index）」によって算出される指数であり、例えば、ＲＡＭ８に予め記憶された被測定者の体重／(身長)２の値が表示される。
【００２５】
図３は、ケース１内に配置されている本実施の形態にかかる体脂肪測定装置の回路の構成を示すブロック図である。このブロック図において、発振回路１５とＶ／Ｉ回路は高周波電流発生回路である（詳細には、１５は発振回路であり、Ｖ／Ｉ回路１４は発振回路で発振された交流電圧から高周波電流を生成する回路である）。  Ｖ／Ｉ回路１４は高周波電流出力用電極２、６に接続されている。また、電圧検出用電極３、７は、フィルタを含む信号増幅器１１、進行積算器１２、Ａ／Ｄ変換器１３を介してＣＰＵ１０に接続されている。ＣＰＵ１０には、前記キー入力部５１〜５４及び表示部４が接続されているとともに、ＲＡＭ８とＲＯＭ９とが接続されている。ＣＰＵ１０は、ＲＯＭ９に格納されているプログラムに従って、時刻情報表示処理、及び後述の体脂肪測定処理を実行することにより、時刻情報の表示、及びモード切替による体脂肪測定を制御するものである。ＲＡＭ８はＣＰＵ１０のワーク用（時刻情報用レジスタ）として使用されるとともに、キー操作により予め入力された被測定者の身長、体重、年齢、性別等のデータを格納するメモリとして使用される。
【００２６】
以上の構成にかかる本実施の形態において、被測定者はこのベルト１６、１７にて左腕に装着しておく。これにより、裏面側の電極６、７が被測定者の左腕の皮膚に接触する。そして、体脂肪測定を行うに際しては、所定のキー操作を行って、モード切替を行なって測定モードを設定した後、右手の手指をそれぞれ表面側の電極２、３に接触させる。これにより、図３に示したように、高周波電流出力用電極２、６と電圧検出用電極３、７と被測定者の人体とでループを形成して導通した状態となる。
【００２７】
一方、ＣＰＵ１０はＲＯＭ９に格納されているプログラムに基づき、図４に示すフローチャートに従って動作し、測定モードの設定を検出するまで待機する（ステップＳ１）。そして、測定モードが検出されると、ワークエリアにおける前回の測定データを初期化する（ステップＳ２）。次に、ＲＡＭ８より当該ユーザの身長、体重、年齢、性別等の各データを順次読み出し（ステップＳ３）、この読み出した体重と身長とに基づき、ＢＭＩ指数を算出する（ステップＳ４）。
【００２８】
しかる後に、測定を開始して、電圧検出用電極３、７間の電位を取り出し（ステップＳ５）、その際、電極、２、３、６、７における接触不良による測定エラーの有無を検出する（ステップＳ６）。測定エラーが検出された場合には、表示部４にエラー表示を行うとともに（ステップＳ９）、このエラー表示を一定時間経過するまで継続する（ステップＳ１０）。
【００２９】
測定エラーが検出されない場合には、前述のステップＳ５で取り出した電圧検出用電極３、７間の電位から身体インピーダンスを求め、この身体インピーダンスと前記ステップＳ３で読み出した身長及び体重に基づき、周知の演算を行って体脂肪率を算出する（ステップＳ７）。しかる後に、前記ステップＳ４で算出したＢＭＩとこのステップＳ７で算出した体脂肪率とを表示部４に表示させる（ステップＳ８）。
【００３０】
このとき、算出した体脂肪率に応じて、「やせ」「普通」「軽肥満」「肥満」の順に対応するセグメント４ａを点灯させる。したがって、このステップＳ８で処理により表示部４には、図２に例示したように、「ＦＡＴ  ２３．５％」「ＢＭＩ  ２１」の表示がなされるとともに、算出された体脂肪率、及びＢＭＩ指数に応じて、セグメント４ａが順次点灯する。よって、この体脂肪測定装置を腕に装着しておけば、測定モードの設定して他方の手指を表面側の電極２、３に接触させることにより、体脂肪率の測定を随時に容易かつ迅速に行うことができる。また、点灯したセグメント４ａに対応する印刷文字を視認することにより、被測定者自身の体脂肪率がどのレベルであるかを認識することができる。なお、前述のように所定のキー操作による表示切り替えにより、ＦＡＴに代えて被測定者人体に対する脂肪量の割合（％）を表示することもできる。
【００３１】
図５は、本発明の第１の実施の形態において表面側に配置される電極２、３の配置例を示すものである。すなわち、同図（ａ）はケース１において表示部４の両側に電極２、３を配置した例である。（ｂ）は右上隅部と左下隅部とに配置した例であり、（ｃ）は左上隅部と右下隅部とに配置した例である。（ｄ）はベルト１７に配置した例であり、（ｅ）はベルト１６とベルト１７とに、電極２、３の一方をそれぞれ配置した例である。これら変形例に示すように、電極２、３はこの体脂肪測定装置をベルト１６、１７にて腕に装着した状態において当該腕には接触せず、他方の手指により接触可能であり、測定時に被測定者の左腕に当該体脂肪測定装置を装着した際に、被測定者の人体を基準に電極２が電極３よりも外側になるような位置にあれば、いかなる位置であってもよい。但し、電極２、３をケース１側に配置した場合には、電極２、３への電流供給及び電圧検出が容易となり、回路が簡単化する利点がある。
【００３２】
また、図６は、本発明の第１の実施の形態において裏面側に配置される電極６、７の配置例を示すものである。すなわち、同図（ａ）はケース１の裏面において横方向に電極６、７を配置した例である。（ｂ）は右斜め方向に配置した例であり、（ｃ）は左斜め方向に配置した例である。（ｄ）は一方のベルト１７に配置した例であり、（ｅ）は他方のベルト１６に配置した例であり、（ｆ）はベルト１６とベルト１７とに、電極６、７の一方をそれぞれ配置した例である。この変形例に示すように、電極６、７はこの体脂肪測定装置をベルト１６、１７にて腕に装着した状態において当該腕の皮膚に接触可能であり、測定時に被測定者の左腕に当該体脂肪測定装置を装着した際に、被測定者の人体を基準に電極６が電極７よりも外側になるような位置にあれば、いかなる位置であってもよい。
【００３３】
無論、図５（ａ）〜（ｄ）に示した配置例と図６（ａ）〜（ｆ）に示した配置例を適宜組み合わせて用いることができる。
【００３４】
尚、本実施の形態においては、算出した体脂肪率、及びＢＭＩ指数に応じて、「やせ」「普通」「軽肥満」「肥満」に対応するセグメント４ａ順次点灯させるようにしたが、「やせ」「普通」「軽肥満」「肥満」の何れかに対応するセグメント４ａを点灯させるようにしてもよく、これらの測定結果の表示については、ドットマトリクスによるキャラクター表示や、アニメーション表示等、適宜変更可能である。
【００３５】
（第２の実施の形態）
図７は、本発明の第２の実施の形態を示すものである。同図（ａ）に示すように、この体脂肪測定装置はケース１がケース本体１ａと蓋１ｂとで構成されている。ケース本体１ａには、前記実施の形態と同様に、一対のベルト１６、１７が係止され、キー入力部５１、５２、５３、５４が設けられるとともに、表面に前記電極２、３が配置されている。蓋１ｂは、ケース本体１ａの一側縁に任意の角度に開閉自在に枢支されており、ケース本体１ａには所定角度以上ケース本体１ａと蓋１ｂとが開いたことを検出するためのセンサー５５が配設されている。このセンサー５５は、蓋１ｂが開くことにより変化するケース本体１ａ上の照度により所定角度以上ケース本体１ａと蓋１ｂとが開いたことを検出する光量検出センサーであるが、接点スイッチであっても良い。また、この蓋１ｂには、これを閉じた状態で前記ケース本体１ａに接面する裏面側に、前記実施の形態と同様の表示部４が配置され、表面側に図示しない時刻表示部が設けられている。また、ケース本体１ａの裏面側に前記電極６、７が配置されている。
【００３６】
なお、この実施の形態においては、ケース本体１ａ内に図３に示した回路を備えると共に、図示しないが、蓋１ｂ側には前記時刻表示部に時刻を表示させるための時計回路部が内蔵されている。
【００３７】
以上の構成にかかる本実施の形態において、被測定者は普段（時刻情報等を見る場合）はこのベルト１６、１７にて一方の腕に装着しておき、その際蓋１ｂを閉じた状態にしておく。これにより、蓋１ｂの表面に配置されている時刻表示部が上面に位置し、通常の腕時計として使用することができる。そして、体脂肪測定を行うに際しては、図７（ａ）に示したように、蓋１ｂを所定角度以上開いて起立させる。すると、蓋１ｂが所定角度以上開となったことをセンサー５５が検出してこの検出信号をＣＰＵ１０に出力し、ＣＰＵ１０は自動的に時刻表示モードから測定モードに切り換える。したがって、図４に示したフローチャートにおいてステップＳ２以降の処理が実行されて、ＢＭＩ及び体脂肪率が表示される。
【００３８】
また、本実施の形態によれば、ケース本体１ａの表面全体を利用して電極２、３を配置することができることから、電極２、３を大型にして測定精度を高めることができる。また、非測定時には蓋１ｂを閉じておくことにより、電極２、３の汚れを防止して、測定時におけるエラーの発生を抑制することができるとともに、電極２、３が隠蔽されデザイン的にも有利となる。さらに、蓋１ｂを開いた際に、自動的に測定モードに移行させることができ、これによりスムーズに測定を開始して脂肪率の測定をより容易かつ迅速に行うことができる。
【００３９】
さらに、ケース本体１ｂ側には図３に示した回路、蓋１ｂ側には時計回路部（不図示）をそれぞれ備えさせることで、例えば電流発生回路（発振回路１５、及びＶ／Ｉ回路１４）において発生する高周波電圧もしくは高周波電流による、時計回路部へのノイズの影響を受けにくくする、所謂、シールド効果を期待することもできる。
【００４０】
又、上記第１の実施の形態、及び第２の実施の形態によれば、被測定者は体脂肪測定の為に、わざわざ測定装置を出す準備をしたり、両手をフリーの状態にしなくてはならないという煩わしさを解消することができるので、何時でも手軽に体脂肪測定が可能となる。
【００４１】
（第３の実施の形態）
図８は、本発明の第３の実施の形態を示すものであり、この体脂肪測定装置は第１の実施の形態と同様に、ケース１１０とこのケース１１０の相対向する側部に係止された一対のベルト１６、１７とで構成され、ケース１１０の表面側に表示部４が配置されている。しかし、第１の実施の形態とは異なり、ケース１１０の一側部に設けられたキー入力部５３、５４が高周波電流出力用電極２、６を兼ねており、他側部に設けられたキー入力部５１、５２が電圧検出用電極３、７を兼ねている。
【００４２】
以上の構成にかかる本実施の形態において、通常、現在時刻を表示する際は図８（ａ）に図示するように、１２-６時方向を縦方向として表示すると共に、体脂肪測定を行うに際しては、この体脂肪測定装置を腕から取り外し、例えば図８（ｂ）に図示するように、左の親指６０１と人差し指６０２で挟むようにしてキー入力部５１、５３を押圧し、右の親指７０１と人差し指７０２で挟むようにしてキー入力部５２、５４を押圧する。これにより、左手が高周波電流出力用電極２と電圧検出用電極３とに接触し、かつ、右手が高周波電流出力用電極６と電圧検出用電極７とに接触する。その結果、図３に示したように、高周波電流出力用電極２、６が人体を介して電圧検出用電極３、７と導通した状態となる。
【００４３】
また、このようにして両手でキー入力部５１〜５４を押圧すると、これら４個のキー入力部５１〜５４が同時押しの状態となる。すると、ＣＰＵ１０がキー入力部５１〜５４の全同時押しを検出して、表示部４を３―９時方向を縦方向（３時方向が上）表示に設定し、自動的に測定モードに切り換える。したがって、図４に示したフローチャートにおいてステップＳ２以降の処理が実行されて、ＢＭＩ及び体脂肪率が表示される。
【００４４】
この場合、表示部４はドットマトリクス液晶で構成され、上記第１、第２の実施の形態において、表示部４に印刷されていた、「やせ」「普通」「軽肥満」「肥満」の文字の代わりとして、これら４段階の中で、測定結果に対応した内容を選択して、表示部４に表示させるようにする。
【００４５】
また、本実施の形態によれば、ケース１１０自体に複数の電極２、３、６、７を別途配置する必要がないことから、デザイン的、スペース的に有利であるとともに、キー入力部５１〜５４と兼用しているので、全同時押し時に、自動的に測定モードに移行して、かつ、そのまま体脂肪率の測定を開始することできより一層、容易かつ迅速に体脂肪率の測定を行うことができる。
【００４６】
又この第３の実施の形態の場合、キー入力部５１、５２、５３、５４の夫々に対応して、電極２、３、６、７を配置しても良い。
【００４７】
（第４の実施の形態）
図９〜図１３は、本発明の第４の実施の形態を示すものであり、腕時計型の体脂肪測定装置において、その測定原理に反することなく正確な測定を容易に行えるようにしたものである。すなわち、４端子電極法を用いた体脂肪測定においては、高周波電流を出力するための一対の出力用電極で形成される人体を経由するループが、電圧を検出するための一対の検出用電極で形成される人体を経由するループより大きくなるように、各電極を人体の皮膚に接触させることが必要である。しかし、例えば図１（ｂ）に示した電極６、７の配置構成において、左手首に装着した場合には電極６が手先側、電極７がこれよりも胴体に近い手元側となり、右手に装着した場合には逆に電極６が手元側、電極７が手先側となる。したがって、電極６が高周波出力用であるとすると、左手に装着した場合には、高周波電流を出力するための一対の出力用電極で形成される人体を経由するループが、電圧を検出するための一対の検出用電極で形成される人体を経由するループより大きくなるが、右手に装着した場合にはそうはならず、正確な測定が困難となる。
【００４８】
したがって、当該装置が左右どちらの腕に装着されているかが、正確な測定を可能するための重要な要件となる。そこで、本実施の形態においては、左右両腕から誘導される心電図第一誘導の特徴的なＱＲＳＴ波形の特にＲ波の極性を判定することにより、当該装置の装着腕を特定し、この特定結果に応じて４つの電極の役割、つまりいずれの電極を高周波電流を出力するための一対の出力用電極とし、電圧を検出するための一対の検出用電極とするかを決定するようにしたものである。
【００４９】
以下、本発明の実施の形態を図に従って説明する。図９に示すように、本実施の形態にかかる体脂肪測定装置は前述した第１の実施の形態と同様の外部構成であって、ケース１２０とこのケース１２０の相対向する側部に係止された一対のベルト１６、１７とで構成されている。ケース１２０の相対向する他の両側部には、キー入力部５１、５２、５３、５４が設けられている。ケース１２０の表面側には、同図（ａ）に示すように、中央部にＬＣＤからなる表示部４が配置され、ベルト１７寄りに一対の電極２、３が左右に配置されており、この一対の電極２、３は、適宜の間隔をもって配置されることにより相互に絶縁されている。また、ケース１２０の裏面側には、同図（ｂ）に示すように、一対の電極６、７が左右に配設されており、この一対の電極６、７も、適宜の間隔をもって配置されることにより相互に絶縁されている。
【００５０】
図１０は、ケース１２０内に配置されている本実施の形態にかかる体脂肪測定装置の回路における電極近辺の詳細を示す回路図である。すなわち、図３に示したＣＰＵ１０の入力ポートに差動増幅回路１８（詳細は後述の図１１に示す）と前記Ｖ／Ｉ回路１４とが接続されており、ＣＰＵ１０の出力ポートにスイッチ制御回路１９、２０が接続されている。スイッチ制御回路１９は、スイッチＳＷ１、ＳＷ２、ＳＷ５、ＳＷ６を制御するものであり、スイッチ制御回路２０はスイッチＳＷ３、ＳＷ４、ＳＷ７、ＳＷ８を制御するものである。
【００５１】
そして、スイッチＳＷ１とＳＷ３の可動端子、及びＳＷ２とＳＷ４の可動端子とが接続されているとともに、ＳＷ５の可動端子は電極３に、ＳＷ６の可動端子は電極７に接続され、ＳＷ７とＳＷ８の可動端子は前記信号増幅器１１の入力部に、各々接続されている。なお、信号増幅器１１は図３に示したように、進行積算器１２に接続されている。
【００５２】
また、スイッチＳＷ１は、Ｖ／Ｉ回路１４に接続された固定端子Ｃ１と、差動増幅回路１８、及び、スイッチＳＷ５の固定端子Ｃ９に接続された固定端子Ｃ２とを有しており、スイッチＳＷ２は、Ｖ／Ｉ回路１４に接続された固定端子Ｃ３と、差動増幅回路１８に接続された固定端子Ｃ４とを有している。スイッチＳＷ３は、電極３とスイッチＳＷ５間に接続された固定端子Ｃ５と、電極２に接続された固定端子Ｃ６とを有しており、スイッチＳＷ４は、電極６に接続された固定端子Ｃ７と、電極７とスイッチＳＷ６間に接続された固定端子Ｃ８とを有している。スイッチＳＷ５は、前記スイッチＳＷ１の固定端子Ｃ２に接続された固定端子Ｃ９と、スイッチＳＷ７の固定端子Ｃ１４に接続された固定端子Ｃ１０とを有しており、スイッチＳＷ６は、スイッチＳＷ８の固定端子Ｃ１５に接続された固定端子Ｃ１１と、差動増幅回路１８に接続された固定端子Ｃ１２とを有している。スイッチＳＷ７は、前記スイッチＳＷ１の固定端子Ｃ６と電極２間に接続された固定端子Ｃ１３と、スイッチＳＷ５の固定端子Ｃ１０に接続された固定端子Ｃ１４とを有しており、スイッチＳＷ８は、スイッチＳＷ６の固定端子Ｃ１１に接続された固定端子Ｃ１５と、前記スイッチＳＷ４の固定端子７と電極６間に接続された固定端子Ｃ１６とを有している。
【００５３】
図１１は、前記差動増幅回路１８の詳細を示す回路図であり、差動増幅器１８１、１８２、１８３、及び信号増幅器１８４で構成されている。差動増幅器１８１の一方の入力端には、前記スイッチＳＷ１、ＳＷ３、ＳＷ５の状態に応じて電極２又は電極３が接続され、差動増幅器１８２の一方の入力端には、前記スイッチＳＷ６の状態に応じて電極７が接続される。差動増幅器１８１、１８２の他方の入力端には、スイッチＳＷ及びＳＷ４の状態に応じて電極６が接続される。また、差動増幅器１８１、１８２の出力端は差動増幅器１８３の入力端に接続されているともに、差動増幅器１８３の出力端は信号増幅器１８４の入力端に接続され、この信号増幅器１８４からの出力がＣＰＵ１０に与えられるように構成されている。
【００５４】
以上の構成にかかる本実施の形態において、被測定者はこのベルト１６、１７にて一方の腕に装着しておく。これにより、裏面側の電極６、７が被測定者の一方の腕の皮膚に接触する。そして、体脂肪測定を行うに際しては、所定のキー操作を行って、体脂肪測定モードを設定した後、他方の手指を表面側の電極２、３に接触させる。これにより、図１０に示したように、電極２、６が人体を介して電極３、７と導通した状態となる。
【００５５】
一方、体脂肪測定モードが設定されるとＣＰＵ１０はＲＯＭ９に格納されているプログラムに基づき、図１２に示すフローチャートに従って動作を開始し、ワークエリアにおける前回の測定データを初期化する（ステップＳ１１）。次に、ＲＡＭ８より当該ユーザの身長、体重、年齢、性別等の各データを順次読み出し（ステップＳ１２）、この読み出した体重と身長とに基づき、ＢＭＩ指数を算出する（ステップＳ１３）。
【００５６】
しかる後に、スイッチＳＷ１、ＳＷ２、ＳＷ５、ＳＷ６の可動接点が各々固定接点Ｃ２、Ｃ４、Ｃ９、Ｃ１２と接続した状態となるように、スイッチ制御回路１９を制御するとともに（ステップＳ１４）、スイッチＳＷ３、ＳＷ４の可動接点が各々固定接点Ｃ６、Ｃ７と接続した状態となるように、スイッチ制御回路２０を制御する（ステップＳ１５）。これにより、表面側に配置されている電極２、３が一時的に短絡し、裏面側に配置されている電極６、７のうち電極７が心電波検出用の誘導電極として作用し、電極６が当該装置の心電波検出用の共通電極としてそれぞれ作用する。
【００５７】
このような電極配置で第一誘導心電波を得るには、図１１に示したように差動増幅回路１８により、電極６を信号の共通レベル若しくは基準と見なして、電極２（３）の電位を得る。同時に、電極７の電位を得るとともに、電極２（３）と電極７との電位差を得る。このようにして得られた電位差は数ミリボルト程度の強さであるため、検出し易くするために信号増幅器１８４により増幅してＣＰＵ１０に供給する。
【００５８】
これにより、ＣＰＵ１０は図１３（ａ）又は（ｂ）に示すように特徴的なＱＲＳＴ波形が含まれる第一誘導心電波を得ることができる。そこで、次のステップＳ１６では、電極２、３よ心電波を検出し得たか否か、特に次のステップＳ１８で判断するＲ波を検出し得たか否かを判断する（ステップＳ１６）。そして、検出し得ない場合には、表示部４にエラー表示を行って（ステップＳ１７）、図４のステップＳ１０に進みこのエラー表示を一定時間経過するまで継続する。
【００５９】
また心電波、特にＲ波を検出し得たならば、Ｒ波の極性を判断し（ステップＳ１８）、Ｒ波の棘状信号が正負いずれの方向であるかを識別する（ステップＳ１９）。すなわち、このＲ波の棘状信号は、当該装置装着した腕が左右いずれかによって、その極性が逆転し、当該装置を左手首に装着して右手指を電極２（３）に接触させながら信号を検出したときには、図１３（ａ）に示すように、Ｒ波は負の棘状信号となる。また、逆に当該装置を右手首に装着して左手指を電極２（３）に接触させながら信号を検出したときには、同図（ｂ）に示すように、Ｒ波は正の棘状信号となる。
【００６０】
したがって、ステップＳ１９での判別の結果、Ｒ波の棘状信号が負方向であれば、本実施の形態にかかる体脂肪測定装置を左手首に装着して、右手指で電極２、３に触れた場合である。この場合には、スイッチＳＷ１、ＳＷ２、ＳＷ５、ＳＷ６の可動接点が各々固定接点Ｃ１、Ｃ３、Ｃ１０、Ｃ１１と接続した状態となるように、スイッチ制御回路１９を制御する（ステップＳ２０）。さらに、スイッチＳＷ３、ＳＷ４、ＳＷ７、ＳＷ８の可動接点が各々固定接点Ｃ６、Ｃ７、Ｃ１４、Ｃ１５と接続した状態となるように、スイッチ制御回路２０を制御する（ステップＳ２１）。これにより、電極２と電極６とを高周波電流出力用電極として設定し、かつ、電極３と電極７とを電圧検出用電極として設定する（ステップＳ２２）。
【００６１】
このとき、前述のようにこの体脂肪測定装置を左手首に装着した状態においては、電極６（高周波電流出力用とした電極）が胴体から遠い手先側、電極７（電圧検出用とした電極）がこれよりも胴体に近い手元側となる。また、右手第２指で電極３に触れ、かつ、第２指よりも長い第３指で電極２に触れると、電極２（高周波電流出力用とした電極）が胴体から遠く、電極３（電圧検出用とした電極）がこれよりも胴体に近い側となる。したがって、高周波電流を出力するための一対の電極２、６で形成される人体を経由するループが、電圧を検出するための一対の電極３、７で形成される人体を経由するループより大きくなる。よって、この状態で測定を開始することにより（ステップＳ２３）、正確に体脂肪を測定することができる。
【００６２】
他方、ステップＳ１９での判別の結果、Ｒ波の棘状信号が正方向であれば、本実施の形態にかかる体脂肪測定装置を右手首に装着して、左手指で電極２、３に触れた場合である。この場合には、前述のステップＳ２０と同様に、スイッチＳＷ１、ＳＷ２、ＳＷ５、ＳＷ６の可動接点が各々固定接点Ｃ１、Ｃ３、Ｃ１０、Ｃ１１と接続した状態となるように、スイッチ制御回路１９を制御する（ステップＳ２４）。さらに、スイッチＳＷ３、ＳＷ４、ＳＷ７、ＳＷ８の可動接点が各々固定接点Ｃ５、Ｃ８、Ｃ１３、Ｃ１６と接続した状態となるように、スイッチ制御回路２０を制御する（ステップＳ２５）。これにより、電極３と電極７とを高周波電流出力用電極とし、かつ、電極２と電極６とを電圧検出用電極として設定する（ステップＳ２６）。
【００６３】
このとき、前述のようにこの体脂肪測定装置を右手首に装着した状態においては、電極７（高周波電流出力用とした電極）が胴体から遠い手先側、電極６（電圧検出用とした電極）がこれよりも胴体に近い手元側となる。また、右手第２指で電極２に触れ、かつ、第２指よりも長い第３指で電極３に触れると、電極３（高周波電流出力用とした電極）が胴体から遠く、電極２（電圧検出用とした電極）がこれよりも胴体に近い側となる。したがって、高周波電流を出力するための一対の電極３、７で形成される人体を経由するループが、電圧を検出するための一対の電極２、６で形成される人体を経由するループより大きくなる。よって、この状態で測定を開始することにより（ステップＳ２３）、正確に体脂肪を測定することができる。
【００６４】
（第５の実施の形態）
図１４〜図１７は、本発明の第５の実施の形態を示すものである。図１４に示すように、本実施の形態にかかる体脂肪測定装置も腕時計と同様の外部構成であって、ケース１３０とこのケース１３０の相対向する側部に係止された一対のベルト１６、１７とで構成されている。ケース１３０の相対向する他の両側部には、キー入力部５１、５２、５３、５４が設けられている。ケース１３０の表面側には、中央部にＬＣＤからなる表示部４が配置され、ベルト１６寄りの両隅部に表面部から側面部に亙って各々電極２２、１が配置され、ベルト１７寄りの両隅部に表面部から側面部に亙って各々電極３１、３２が配置されている。これら電極２１、２２、３１、３２は、相互に絶縁されている。また、ケース１３０の裏面側には、一対の電極６１、７１が左右に配設されており、この一対の電極６１、７１も、適宜の間隔をもって配置されることにより相互に絶縁されている。
【００６５】
図１５は、ケース１３０内に配置されている本実施の形態にかかる体脂肪測定装置の回路の構成を示すブロック図である。このブロック図に示すように、Ｖ／Ｉ回路１４はスイッチ切換制御回路３０を介して前記電極６、２１、２２に接続されている。前記電極７、３１、３２は、スイッチ切換制御回路３４を介してフィルタを含む信号増幅器１１に接続されており、両スイッチ切換制御回路３０、３４は相互に接続されている。このスイッチ切換制御回路３０、３４は、ゲート等あるいはソフト制御されるＬＳＩチップ等で構成され、ＣＰＵ１０からの制御信号により後述するフローチャートに示すように切換動作するものである。また、電極３１、３２での検出電圧がスイッチ切換制御回路３４からＣＰＵ１０に入力されるように構成されている。なお、他の回路構成すなわち発振回路１５、進行積算器１２、Ａ／Ｄ変換器１３、ＲＡＭ８、ＲＯＭ９及び表示部４、キー入力部５１〜５４を備えることは、前述した図３に示した実施の形態と同様である。
【００６６】
以上の構成にかかる本実施の形態において、被測定者はこのベルト１６、１７にて一方の腕に装着しておく。これにより、裏面側の電極６１、７１が被測定者の一方の腕の皮膚に接触する。そして、体脂肪測定を行うに際しては、所定のキー操作を行って、体脂肪測定モードを設定する。すると、ＣＰＵ１０はＲＯＭ９に格納されているプログラムに基づき、図１６に示すフローチャートに従って動作を開始し、ワークエリアにおける前回の測定データを初期化する（ステップＳ１１）。次に、ＲＡＭ８より当該ユーザの身長、体重、年齢、性別等の各データを順次読み出し（ステップＳ１２）、この読み出した体重と身長とに基づき、ＢＭＩ指数を算出する（ステップＳ１３）。
【００６７】
しかる後に、両スイッチ切換制御回路３０、３４を制御して電極６、７をＶ／Ｉ回路１４に接続し、この電極６、７において高周波電流を出力する（ステップＳ３５）。次に、切換制御回路３４を制御して電極３１、３２を信号増幅器１１に接続し、この電極３１、３２のいずれかにおいて電圧が検出されたか否かを判断する（ステップＳ３５）。そして、電極３１、３２のいずれにおいても電圧が検出されなかった場合には、表示部４にエラー表示を行って（ステップＳ３６）、図４のステップＳ１０に進みこのエラー表示を一定時間経過するまで継続する。
【００６８】
また、ステップＳ３５で電極３１、３２のいずれかにおいて電圧が検出された場合には、正常な信号が検出されたのは電極３１と電極３２のいずれであるかを判断する（ステップＳ３７）。すなわち、前述のように本実施の形態にかかる体脂肪測定装置においては、ケース１３０のベルト１６寄りの両隅部に各々電極２２、２１が配置され、ベルト１７寄りの両隅部に各々電極３１、３２が配置されている。したがって、図１７（ａ）に示すように、当該装置を左手首６１に装着して、右手７０を一対の電極に接触させる場合、図示のように右手第１指７０１を電極３１に接触させるとともに、右手第２指７０２を対角線上の電極２１に接触させ、右手第１指７０１と右手第２指７０２とで、電極３１、２１を挟み込むようにすることが、自然な接触形態である。
【００６９】
したがって、ステップＳ３７での判断の結果、正常な信号が検出されたのが電極３１であったならば、図１７（ａ）に示したように、当該装置を左手首６１に装着して、右手第１指７０１を電極３１に接触させるとともに、右手第２指７０２を対角線上の電極２１に接触させた、自然かつ適正な接触形態が形成されていると見なすことができる。そして、この場合には両スイッチ切換制御回路３０、３４を制御して、電極２１と電極６とを高周波電流出力用電極とし、かつ、電極３１と電極７とを電圧検出用電極として、体脂肪の測定演算を実行する（ステップＳ３８）。
【００７０】
このとき、この体脂肪測定装置を左手首６１に装着した状態においては、前述と同様に高周波電流出力用とした電極６が胴体から遠い手先側、電圧検出用とした電極７がこれよりも胴体に近い手元側となる。また、右手第１指７０１で電極３１に触れ、かつ、第１指よりも長い第２指７０２で電極２１に触れると、高周波電流出力用とした電極２１が胴体から遠く、電圧検出用とした電極３１がこれよりも胴体に近い側となる。したがって、高周波電流を出力するための一対の電極２１、６で形成される人体を経由するループが、電圧を検出するための一対の電極３１、７で形成される人体を経由するループより大きくなる。よって、この状態で測定演算を実行することにより、正確に体脂肪を測定することができる。
【００７１】
他方、ステップＳ３７での判別の結果、正常な信号が検出されたのが電極３２であったならば、図１７（ｂ）に示したように、当該装置を右手首７１に装着して、左手６０の第１指６０１を電極３２に接触させるとともに、第２指６０２を対角線上の電極２２に接触させた、自然かつ適正な接触形態が形成されていると見なすことができる。そして、この場合には両スイッチ切換制御回路３０、３４を制御して、電極２２と電極７とを高周波電流出力用電極とし、かつ、電極３２と電極６とを電圧検出用電極として、体脂肪の測定演算を実行する（ステップＳ３９）。
【００７２】
このとき、この体脂肪測定装置を右手首に装着した状態においては、前述と同様に高周波電流出力用とした電極７が胴体から遠い手先側、電圧検出用とした電極６がこれよりも胴体に近い手元側となる。また、左手第１指６０１で電極３２に触れ、かつ、第１指よりも長い第２指６０２で電極２２に触れると、高周波電流出力用とした電極２２が胴体から遠く、電圧検出用とした電極３２がこれよりも胴体に近い側となる。したがって、高周波電流を出力するための一対の電極２２、７で形成される人体を経由するループが、電圧を検出するための一対の電極３２、６で形成される人体を経由するループより大きくなる。よって、この状態で測定演算を実行することにより、正確に体脂肪を測定することができる。
【００７３】
（第５の実施の形態の変形例）
図１８及び図１９は、本発明の第５の実施の形態の変形例を示すものであり、被測定者がベルト１６、１７にて一方の腕に装着して、体脂肪測定モードを設定すると、ＣＰＵ１０はＲＯＭ９に格納されているプログラムに基づき、図１８に示すフローチャートに従って動作を開始する。このフローチャートにおいて、ステップＳ１１〜Ｓ１３、ステップＳ３４及びステップＳ３６の処理は、図１６に示したフローチャートと同様である。そして、ステップＳ３４に続くステップＳ４５では、切換制御回路３４を制御して電極２１、２２を信号増幅器１１に接続し、この電極２１、２２のいずれかにおいて電圧が検出されたか否かを判断する（ステップＳ４５）。そして、電極２１、２２のいずれにおいても電圧が検出されなかった場合には、表示部４にエラー表示を行って（ステップＳ３６）、図４のステップＳ１０に進みこのエラー表示を一定時間経過するまで継続する。
【００７４】
また、ステップＳ４５で電極２１、２２のいずれかにおいて電圧が検出された場合には、正常な信号が検出されたのは電極２１と電極２２のいずれであるかを判断する（ステップＳ４７）。すなわち、本実施の形態においては、図１９（ａ）に示すように、当該装置を左手首６１に装着した場合、右手第２指７２を電極２２に接触させるとともに、右手第３指７３を対角線上の電極３２に接触させることが、適正な接触形態であるとする。
【００７５】
したがって、ステップＳ４７での判断の結果、正常な信号が検出されたのが電極２２であったならば、図１９（ａ）に示したように、当該装置を左手首６１に装着して、右手第２指７２を電極２２に接触させるとともに、右手第３指７３を対角線上の電極３２に接触させ、適正な接触形態が形成されていると見なすことができる。そして、この場合には両スイッチ切換制御回路３０、３４を制御して、電極３２と電極６とを高周波電流出力用電極とし、かつ、電極２２と電極７とを電圧検出用電極として、体脂肪の測定演算を実行する（ステップＳ４８）。
【００７６】
このとき、この体脂肪測定装置を左手首６１に装着した状態においては、前述と同様に高周波電流出力用とした電極６が胴体から遠い手先側、電圧検出用とした電極７がこれよりも胴体に近い手元側となる。また、右手第２指７２で電極２２に触れ、かつ、第２指よりも長い第３指７３で電極３２に触れると、高周波電流出力用とした電極３２が胴体から遠く、電圧検出用とした電極２２がこれよりも胴体に近い側となる。したがって、高周波電流を出力するための一対の電極３２、６で形成される人体を経由するループが、電圧を検出するための一対の電極２２、７で形成される人体を経由するループより大きくなる。よって、この状態で測定演算を実行することにより、正確に体脂肪を測定することができる。
【００７７】
また、本実施の形態においては、図１９（ｂ）に示すように、当該装置を右手首７１に装着した場合、左手第２指６２を電極２１に接触させるとともに、左手第３指６３を対角線上の電極３１に接触させることが、適正な接触形態であるとする。したがって、ステップＳ４７での判別の結果、正常な信号が検出されたのが電極２１であったならば、図１９（ｂ）に示した適正な接触形態が形成されていると見なすことができる。そして、この場合には両スイッチ切換制御回路３０、３４を制御して、電極３１と電極７とを高周波電流出力用電極とし、かつ、電極２１と電極６とを電圧検出用電極として、体脂肪の測定演算を実行する（ステップＳ４９）。
【００７８】
このとき、この体脂肪測定装置を左手首６１に装着した状態においては、前述と同様に高周波電流出力用とした電極６が胴体から遠い手先側、電圧検出用とした電極７がこれよりも胴体に近い手元側となる。また、左手第２指６２で電極２１に触れ、かつ、第２指よりも長い第３指６３で電極３１に触れると、高周波電流出力用とした電極３１が胴体から遠く、電圧検出用とした電極２１がこれよりも胴体に近い側となる。したがって、高周波電流を出力するための一対の電極３１、７で形成される人体を経由するループが、電圧を検出するための一対の電極２１、６で形成される人体を経由するループより大きくなる。よって、この状態で測定演算を実行することにより、正確に体脂肪を測定することができる。
【００７９】
（第６の実施の形態）
図２０〜図２３は、本発明の第６の実施の形態を示すものである。図２０に示すように、本実施の形態にかかる体脂肪測定装置も腕時計と同様の外部構成であって、ケース１４０とこのケース１４０の相対向する側部に係止された一対のベルト１６、１７とで構成されている。ケース１４０の相対向する他の両側部には、キー入力部５１、５２、５３、５４が設けられている。ケース１４０の表面側には、中央部にＬＣＤからなる表示部４が配置され、周部にベゼル４０が回動可能に装着されている。ベゼル４０の相対向するベルト１６側端部とベルト１７側端部には、電極２３と電極３３とが設けられており、これら電極２３、３３は、相互に絶縁されている。また、ケース１４０の裏面側には、図９に示した実施の形態と同様の、一対の電極６、７が左右に配設されており、この一対の電極６、７も、適宜の間隔をもって配置されることにより相互に絶縁されている。
【００８０】
図２１は、ケース１４０内に配置されている本実施の形態にかかる体脂肪測定装置の回路の構成を示すブロック図である。このブロック図に示すように、Ｖ／Ｉ回路１４はスイッチ切換制御回路９０を介して前記電極６、２３に接続されている。前記電極７、３３は、スイッチ切換制御回路９１を介してフィルタを含む信号増幅器１１に接続されており、両スイッチ切換制御回路９０、９１は相互に接続されている。このスイッチ切換制御回路９０、９１は、図１５に示したスイッチ切換制御回路３０、３４と同様にゲート等あるいはソフト制御されるチップで構成され、ＣＰＵ１０からの制御信号により後述するフローチャートに示すように切換動作するものである。ベゼル回転方向検出部９２は、ベゼル４０の回転方向を検出してＣＰＵ１０に出力するものであり、ここでベゼル４０の回転方向は図２２（ａ）に示すように、時計方向を負（−α）方向とし、同図（ｂ）に示すように、反時計方向を正（α）方向としている。なお、他の回路構成すなわち発振回路１５、進行積算器１２、Ａ／Ｄ変換器１３、ＲＡＭ８、ＲＯＭ９及び表示部４、キー入力部５１〜５４を備えることは、前述した図３に示した実施の形態と同様である。
【００８１】
以上の構成にかかる本実施の形態において、被測定者はこのベルト１６、１７にて一方の腕に装着しておく。これにより、裏面側の電極６、７が被測定者の一方の腕の皮膚に接触する。そして、体脂肪測定を行うに際しては、所定のキー操作を行って、体脂肪測定モードを設定する。すると、ＣＰＵ１０はＲＯＭ９に格納されているプログラムに基づき、図２３に示すフローチャートに従って動作を開始し、ワークエリアにおける前回の測定データを初期化する（ステップＳ１１）。次に、ＲＡＭ８より当該ユーザの身長、体重、年齢、性別等の各データを順次読み出し（ステップＳ１２）、この読み出した体重と身長とに基づき、ＢＭＩ指数を算出する（ステップＳ１３）。
【００８２】
次に、内部のタイマーをスタートさせ（ステップＳ５４）、しかる後にベゼル４０の回転が検出されたか否かを判断する（ステップＳ５５）。ベゼル４０の回転が検出されない場合には、タイムアップとなったか否かを判断し（ステップＳ５６）、タイムアップとなった場合には表示部４にエラー表示を行って（ステップＳ５７）、図４のステップＳ１０に進みこのエラー表示を一定時間経過するまで継続する。
【００８３】
このとき、被測定者がこの体脂肪測定装置を左腕に装着し、図１７（ａ）に示したと同様に、右手第１指７０１を本実施の形態におけるベゼル４０の一方の電極３３に接触させるとともに、右手第２指７０２を他方の電極２３に接触させ、右手第１指７０１と右手第２指７０２とで、電極３３、２３を挟み込むようにすることが、適正な接触形態であるとする。そして、この状態で両腕を伸ばすと、腕の角度が変化し、第１指７０１と右手第２指７０２とで電極３３、２３を挟み込んだ右手は、図２２（ａ）に示すように、ベゼル４０を負方向（−α）に回動させるように自然に動作する。
【００８４】
したがって、ステップＳ５５でベゼル４０の回転が検出され、ステップＳ５８でその回転方向が負（−α）方向であることが判明すれば、当該装置を左手首に装着して、右手第１指７０１を電極３３に接触させるとともに、右手第２指７０２を電極２３に接触させた、適正な接触形態で腕を伸ばしたものと見なすことができる。そして、この場合には両スイッチ切換制御回路９０、９１を制御して、電極２３と電極６とを高周波電流出力用電極とし、かつ、電極３３と電極７とを電圧検出用電極として、体脂肪の測定演算を実行する（ステップＳ５９）。
【００８５】
このとき、この体脂肪測定装置を左手首に装着した状態においては、前述と同様に高周波電流出力用とした電極６が胴体から遠い手先側、電圧検出用とした電極７がこれよりも胴体に近い手元側となる。また、右手第１指７０１で電極３３に触れ、かつ、第１指よりも長い第２指７０２で電極２３に触れると、高周波電流出力用とした電極２３が胴体から遠く、電圧検出用とした電極３３がこれよりも胴体に近い側となる。したがって、高周波電流を出力するための一対の電極２３、６で形成される人体を経由するループが、電圧を検出するための一対の電極３３、７で形成される人体を経由するループより大きくなる。よって、この状態で測定演算を実行することにより、正確に体脂肪を測定することができ、しかも両腕を伸ばした状態で測定がなされることから、測定値をより正確なものにすることができる。
【００８６】
他方、ステップＳ５８での判別の結果、図２２（ｂ）に示すようにベゼル４０の回転方向が正（α）方向であったならば、当該装置を右手首に装着して、図１７（ｂ）に示したと同様に、左手第１指６０１を本実施の形態におけるベゼル４０の一方の電極３３に接触させるとともに、左手第２指７０２を電極２３に接触させた、適正な接触形態で腕を伸ばしたものと見なすことができる。そして、この場合には両スイッチ切換制御回路９０、９１を制御して、電極２３と電極７とを高周波電流出力用電極とし、かつ、電極３３と電極６とを電圧検出用電極として、体脂肪の測定演算を実行する（ステップＳ６０）。
【００８７】
このとき、この体脂肪測定装置を右手首に装着した状態においては、前述と同様に高周波電流出力用とした電極７が胴体から遠い手先側、電圧検出用とした電極６がこれよりも胴体に近い手元側となる。また、左手第１指６０１で電極３３に触れ、かつ、第１指よりも長い第２指６０２で電極２３に触れると、高周波電流出力用とした電極２３が胴体から遠く、電圧検出用とした電極３３がこれよりも胴体に近い側となる。したがって、高周波電流を出力するための一対の電極２３、７で形成される人体を経由するループが、電圧を検出するための一対の電極３３、６で形成される人体を経由するループより大きくなる。よって、この状態で測定演算を実行することにより、正確に体脂肪を測定することができ、しかも両腕を伸ばした状態で測定がなされることから、測定値をより正確なものにすることができる。
【００８８】
（第７の実施の形態）
図２４〜図２６は、本発明の第７の実施の形態を示すものである。図２４に示すように、ベゼル４０のベルト１７側に、相互に絶縁された電極２３と電極３３とが並設されており、これ以外の構成は前述した第６の実施の形態と同様である。また、ベゼル４０は図２４に示した状態が初期状態であって、図２５（ａ）に示す反時計方向である正（β）方向と、同図（ｂ）に示す時計方向である負（−β）方向とに各々±９０°回転可能である。そして、前記ベゼル回転方向検出部４０は、ベゼル４０が４５≦β≦９０°、及び−４５≦−β≦−９０である場合に、ベゼル４０の回転を検出するように構成されている。
【００８９】
以上の構成にかかる本実施の形態において、被測定者はこのベルト１６、１７にて一方の腕に装着しておく。これにより、裏面側の電極６、７が被測定者の一方の腕の皮膚に接触する。そして、体脂肪測定を行うに際しては、所定のキー操作を行って、体脂肪測定モードを設定する。すると、ＣＰＵ１０はＲＯＭ９に格納されているプログラムに基づき、図２６に示すフローチャートに従って動作を開始し、ワークエリアにおける前回の測定データを初期化する（ステップＳ５１）。次に、ＲＡＭ８より当該ユーザの身長、体重、年齢、性別等の各データを順次読み出し（ステップＳ５２）、この読み出した体重と身長とに基づき、ＢＭＩ指数を算出する（ステップＳ５３）。
【００９０】
次に、内部のタイマーをスタートさせ（ステップＳ５４）、しかる後にベゼル４０の回転が検出されたか否かを判断する（ステップＳ５５）。ベゼル４０の回転が検出されない場合には、タイムアップとなったか否かを判断し（ステップＳ５６）、タイムアップとなった場合には表示部４にエラー表示を行って（ステップＳ５７）、図４のステップＳ５０に進みこのエラー表示を一定時間経過するまで継続する。
【００９１】
このとき、被測定者がこの体脂肪測定装置を左腕に装着し、図１９（ａ）に示したと同様に、右手第２指７２を本実施の形態におけるベゼル４０の一方の電極３２に接触させるとともに、右手第３指７３を他方の電極３３に接触させ、この状態でベゼル４０を回転させようとすると、ベゼル４０を負（−β）方向に回転させることは困難であり、正（β）方向に回転させることのみが容易となる。
【００９２】
したがって、ステップＳ５５でベゼル４０の回転（４５≦β≦９０°又は−４５≦−β≦−９０）が検出され、ステップＳ５８でその回転方向が正（β）方向であることが判明すれば、当該装置を左手首に装着して、右手第２指７２を電極３２に接触させるとともに、電極３３に右手第３指７３を接触させた状態にあると見なすことができる。そして、この場合には両スイッチ切換制御回路９０、９１を制御して、電極３３と電極６とを高周波電流出力用電極とし、かつ、電極２３と電極７とを電圧検出用電極として、体脂肪の測定演算を実行する（ステップＳ６１）。
【００９３】
このとき、この体脂肪測定装置を左手首に装着した状態においては、前述と同様に高周波電流出力用とした電極６が胴体から遠い手先側、電圧検出用とした電極７がこれよりも胴体に近い手元側となる。また、右手第２指７２で電極２３に触れ、かつ、第２指よりも長い第３指７３で電極３３に触れると、高周波電流出力用とした電極３３が胴体から遠く、電圧検出用とした電極２３がこれよりも胴体に近い側となる。したがって、高周波電流を出力するための一対の電極３３、６で形成される人体を経由するループが、電圧を検出するための一対の電極２３、７で形成される人体を経由するループより大きくなる。よって、この状態で測定演算を実行することにより、正確に体脂肪を測定することができ、しかも両腕を伸ばした状態で測定がなされることから、測定値をより正確なものにすることができる。
【００９４】
他方、被測定者がこの体脂肪測定装置を右腕に装着し、図１９（ｂ）に示したと同様に、左手第２指６２を本実施の形態におけるベゼル４０の一方の電極３３に接触させるとともに、左手第３指６２を他方の電極２３に接触させ、この状態でベゼル４０を回転させようとすると、ベゼル４０を正（β）方向に回転させることは困難であり、負（−β）方向に回転させることのみが容易となる。
【００９５】
したがって、ステップＳ５５でベゼル４０の回転（４５≦β≦９０°又は−４５≦−β≦−９０）が検出され、ステップＳ５８でその回転方向が負（−β）方向であることが判明すれば、当該装置を右手首に装着して、左手第２指６２を電極３３に接触させるとともに、電極２３に左手第３指６３を接触させた状態にあると推定することができる。そして、この場合には両スイッチ切換制御回路９０、９１を制御して、電極２３と電極７とを高周波電流出力用電極とし、かつ、電極３３と電極６とを電圧検出用電極として、体脂肪の測定演算を実行する（ステップＳ６２）。
【００９６】
このとき、この体脂肪測定装置を左手首に装着した状態においては、前述と同様に高周波電流出力用とした電極６が胴体から遠い手先側、電圧検出用とした電極７がこれよりも胴体に近い手元側となる。また、左手第２指６２で電極３３に触れ、かつ、第２指よりも長い第３指６３で電極２３に触れると、高周波電流出力用とした電極２３が胴体から遠く、電圧検出用とした電極３３がこれよりも胴体に近い側となる。したがって、高周波電流を出力するための一対の電極２３、７で形成される人体を経由するループが、電圧を検出するための一対の電極３３、６で形成される人体を経由するループより大きくなる。よって、この状態で測定演算を実行することにより、正確に体脂肪を測定することができ、しかも両腕を伸ばした状態で測定がなされることから、測定値をより正確なものにすることができる。
【００９７】
（第８の実施の形態）
図２７、２８は、本発明の第８の実施の形態を示すものである。図２４に示すように、前記ＲＡＭ８には、時刻データ記憶エリア８１、個人データ記憶エリア８２、及び測定値記憶エリア８３が設けられている。時刻データ記憶エリア８１は、時計モードにおいて使用されるエリアであって、現在時刻等をカウントするカウンタ、及びバッファが含まれる。測定値記憶エリア８３には、前述した各フローに従った処理により測定された体脂肪の測定値が記憶される。
【００９８】
個人データ記憶エリア８２には、「身長」「体重」「生年月日」及び「装着する腕」の各データが記憶され、「装着する腕」は対応する「右腕」又は「左腕」に“１”で装着することを示すフラグデータを書き込むことにより行われる。これらの各データは、ユーザがキー入力部５１〜５４を操作することにより予め記憶されたものである。
【００９９】
かかる実施の形態によれば、当該装置が左右どちらの腕に装着されているかを検出することなく、記憶されている「装着する腕」のデータに基づき、一対の出力用電極で形成される人体を経由するループが、一対の検出用電極で形成される人体を経由するループより大きくなるように、各電極を高周波電流出力用あるいは電圧検出用として、適正に設定することができる。また、「生年月日」のデータから測定時における測定者の現在年齢を算出して、体脂肪の演算に加味することができ、これによって、より正確な測定結果を得ることができる。
【０１００】
なお、この実施の形態においては、当該装置を装着する腕を示すデータを記憶させておくようにしたが、４個の電極のうちいずれの電極を高周波電流出力用あるいは電圧検出用とするかを記憶させておき、これに基づき各電極を切換制御するようにしてもよい。
【０１０１】
【発明の効果】
以上説明したように本発明によれば、次のような効果を奏することができる。
すなわち、請求項１記載の発明によれば、高周波電流を出力するための第１及び第２の出力用電極と、電圧を検出するための第１及び第２の検出用電極とを備え、前記第１及び第２の出力用電極を前記人体の皮膚に接触させて、前記第１及び第２の検出用電極から検出される電圧に基づき体脂肪を測定するにあたり、人体の腕に装着可能な装着体のうちの腕と接触する裏面側に配置している第１の出力用電極及び第１の検出用電極が左右いずれか一方の腕に接触している状態のもとで、前記裏面と反対側の表面側に配置している第２の出力用電極及び第２の検出用電極に対して、左右いずれか他方の腕を接触させると、人体の左右いずれの腕に装着されたかを検出し、この検出結果に基づき各電極を出力用電極と検出用電極とに切り換えることができる。このために、装着体に対する左右いずれの腕の接触に応じて、４端子電極法を用いて体脂肪を正確に測定することができる。この結果、装着体が左右のいずれの腕と接触しているか否かを自動的に検出した上で、体脂肪の測定が可能となり、体脂肪率の測定を随時に容易かつ迅速に行うことができる。
【０１０３】
また、装置本体の表面側に、測定結果を表示する表示手段を設けるようにしたことから、測定結果を容易かつ迅速に視認することができる。
【０１０４】
また、装置が人体の左右いずれの腕に装着するかを記憶しておき、これに基づき電極を出力用電極と検出用電極とに切り換えるようにしたことから、装着体を左右いずれの腕に装着した場合であっても、４端子電極法を用いて体脂肪を正確に測定することができる。
【０１０５】
また、心電波を検出してこれに基づき人体の左右いずれの腕に装着されたかを検出することにより、外観に影響を与えることなく人体の左右いずれの腕に装着されたかを検出することができる。
【０１０７】
また、回動可能なベゼルの回転方向に基づいて、人体の左右いずれの腕に装着されたかを検出するようにしたことから、ベゼルを有する腕時計においてベゼルを有効利用して、検出手段を達成することができる。
【０１０８】
また、前記装置本体の表面に、開閉自在な蓋体を設けるようにしたことから、非測定時には蓋体により電極の汚れが防止でき、測定に接触不良によるエラーの発生を未然に防止することができるとともに、電極が隠蔽されることにより、デザイン的にも有利となる。
【０１０９】
また、蓋体に測定結果を表示する表示手段を設けることにより、蓋体を任意の角度に開いて見易い角度で測定結果を視認することが可能となる。
【０１１０】
また、蓋体の装置本体の表面を覆う一面側に、体脂肪の測定結果を表示する第１の表示手段を設け、他面側に時刻を表示する第２の表示手段を設けることにより、外観上は腕時計と同様となり、違和感なく携帯することできる。
【０１１１】
また、体脂肪の測定結果をレベル表示するようにしたことから、このレベル表示により、一見して測定結果に対する評価を認識することが可能となる。
【０１１２】
また、前記蓋体の開を検出して、前記測定を開始させるようにしたことから、蓋体により電極を保護しつつ、測定をスムーズに開始させることができる。
【図面の簡単な説明】
【図１】（ａ）は本発明の第１の実施の形態にかかる体脂肪測定装置の平面図、（ｂ）は同背面図である。
【図２】表示部の拡大図である。
【図３】同実施の形態にかかる体脂肪測定装置の回路図である。
【図４】同実施の形態における体脂肪測定時の処理手順を示すフローチャートである。
【図５】同実施の形態にかかる体脂肪測定装置の表面側の変形例を示す平面図である。
【図６】同実施の形態にかかる体脂肪測定装置の裏面側の変形例を示す背面図である。
【図７】（ａ）は本発明の第２の実施の形態にかかる体脂肪測定装置の斜視図、（ｂ）は同背面図である。
【図８】（ａ）は、本発明の第３の実施の形態にかかる体脂肪測定装置の通常（現在時刻表示）モードの平面図、（ｂ）は、測定モードの平面図である。
【図９】（ａ）は本発明の第４の実施の形態にかかる体脂肪測定装置の平面図、（ｂ）は同背面図である。
【図１０】同実施の形態にかかる体脂肪測定装置の電極近辺の詳細を示す要部回路図である。
【図１１】同実施の形態における差動増幅回路の詳細を示す回路図である。
【図１２】同実施の形態における処理手順の要部を示すフローチャートである。
【図１３】（ａ）は左手に装着した場合のＱＲＳＴ波形を示す波形図、（ｂ）は右手に装着した場合のＱＲＳＴ波形を示す波形図である。
【図１４】（ａ）は本発明の第５の実施の形態にかかる体脂肪測定装置の平面図、（ｂ）は左側面図、（ｃ）は右側面図である。
【図１５】同実施の形態にかかる体脂肪測定装置の回路図である。
【図１６】同実施の形態における処理手順の要部を示すフローチャートである。
【図１７】（ａ）は同実施の形態にかかる体脂肪測定装置を左手手首に装着した場合の測定イメージ図、（ｂ）は右手手首に装着した場合の測定イメージ図である。
【図１８】同実施の形態における変形例の処理手順の要部を示すフローチャートである。
【図１９】（ａ）は同変形例にかかる体脂肪測定装置を左手手首に装着した場合の測定イメージ図、（ｂ）は右手手首に装着した場合の測定イメージ図である。
【図２０】（ａ）は本発明の第６の実施の形態にかかる体脂肪測定装置の平面図、（ｂ）は左側面図、（ｃ）は右側面図である。
【図２１】同実施の形態にかかる体脂肪測定装置の回路図である。
【図２２】（ａ）は同実施の形態にかかる体脂肪測定装置を左手手首に装着した場合のベゼル回動方向説明図、（ｂ）は右手手首に装着した場合のベゼル回動方向説明図である。
【図２３】同実施の形態における処理手順の要部を示すフローチャートである。
【図２４】（ａ）は本発明の第７の実施の形態にかかる体脂肪測定装置の平面図、（ｂ）は左側面図、（ｃ）は右側面図である。
【図２５】（ａ）は同実施の形態にかかる体脂肪測定装置を左手手首に装着した場合のベゼル回動方向説明図、（ｂ）は右手手首に装着した場合のベゼル回動方向説明図である。
【図２６】同実施の形態における処理手順の要部を示すフローチャートである。
【図２７】本発明の第８の実施の形態におけるＲＡＭのメモリ構成図である。
【図２８】同実施の形態における個人データ記憶エリアのメモリ構成図である。
【符号の説明】
１    ケース
１ａ    ケース本体
１ｂ    蓋
１６、１７    ベルト
２、３    電極
４    表示部
４ａ    セグメント
６、７    電極
１０    ＣＰＵ
１９、２０    スイッチ制御回路
２１、２２、２３    電極
３１、３２、３３    電極
４０    ベゼル
９２    ベゼル回転方向検出部
５１、５２、５３、５４    キー入力部
８２    個人データ記憶エリア
１２０    ケース
【図１】
0003899744.tif 000002
【図２】
0003899744.tif 000003
【図３】
0003899744.tif 000004
【図４】
0003899744.tif 000005
【図５】
0003899744.tif 000006
【図６】
0003899744.tif 000007
【図７】
0003899744.tif 000008
【図８】
0003899744.tif 000009
【図９】
0003899744.tif 000010
【図１０】
0003899744.tif 000011
【図１１】
0003899744.tif 000012
【図１２】
0003899744.tif 000013
【図１３】
0003899744.tif 000014
【図１４】
0003899744.tif 000015
【図１５】
0003899744.tif 000016
【図１６】
0003899744.tif 000017
【図１７】
0003899744.tif 000018
【図１８】
0003899744.tif 000019
【図１９】
0003899744.tif 000020
【図２０】
0003899744.tif 000021
【図２１】
0003899744.tif 000022
【図２２】
0003899744.tif 000023
【図２３】
0003899744.tif 000024
【図２４】
0003899744.tif 000025
【図２５】
0003899744.tif 000026
【図２６】
0003899744.tif 000027
【図２７】
0003899744.tif 000028
【図２８】
0003899744.tif 000029